(57)【要約】【解決手段】無線電話は、移動局モデム、Ｂｌｕｅｔｏｏｔｈ無線周波数装置、それらの間のインターフェース、および、真にユニバーサルな遠隔制御装置を実現するために加入者による利用を可能とする他の支持するハードウエア／ソフトウエアから構成される。この発明の実施の形態は、周波数ホッピングされた信号を送受信するために備えられた無線周波数装置に移動局モデムを接続するためのインターフェースと、移動局モデムと、複数の双方向のシリアルデータ接続を含むＢｌｕｅｔｏｏｔｈ無線周波数装置との間に動作可能に接続されたシリアルバスインターフェースを含む。好適実施の形態は、さらに、移動局モデムとＢｌｕｅｔｏｏｔｈ無線周波数装置との間に接続された送信のためにデータを送信する双方向シリアルデータ接続および同期検波器および、移動局モデムから前記無線周波数装置においてイネーブリング表示有効データを受信するためのイネーブリングシリアルデータ接続を含む。【選択図】図１
2004519879.tif 000002
【特許請求の範囲】
【請求項１】
下記を含む、周波数ホッピングされた信号を送信するために備えられた無線周波数装置に移動局モデムを接続するためのインターフェース装置：
前記無線周波数装置に動作可能に接続され、複数の双方向シリアルデータ接続を含むバスインターフェース；
前記無線周波数装置から前記移動局モデムに第１の方向に送信するためにデータを送信し、前記移動局モデムから前記無線周波数装置においてデータを受信するための双方向シリアルデータ接続；
外部ソースから前記無線周波数装置に有効データのイネーブル表示を受信するための同期検波器および送信イネーブリングシリアルデータ接続。
【請求項２】
タイミングを開始するために、第１の信号を送信するための送信器をさらに含む、請求項１の装置。
【請求項３】
前記第１の信号は同期検波信号である、請求項２の装置。
【請求項４】
前記第１の信号は同期検波信号である、請求項２の装置。
【請求項５】
複数の状態において、次の利用可能なタイムスロットを指定するためのインターフェース回路を含む、請求項２の装置。
【請求項６】
前記次に利用可能なタイムスロットはリードタイムスロットである、請求項５の装置。
【請求項７】
前記次に利用可能なタイムスロットはライトタイムスロットである、請求項５の装置。
【請求項８】
前記次に利用可能なタイムスロットは、リードおよびライトタイムスロットの１つとして選択可能である、請求項５の装置。
【請求項９】
前記インターフェースはシリアルインターフェースである、請求項４の装置。
【請求項１０】
前記インターフェース回路はさらに、受信信号強度測定モジュールを含む、請求項５の装置。
【請求項１１】
移動局と、周波数ホッピングされた信号を送信するために備えられた無線周波数装置との間をインターフェースする方法において、前記インターフェースは、前記無線周波数装置に動作可能に接続され、複数の双方向シリアルデータ接続を含むシリアルバスインターフェースと、前記無線周波数装置から第１の方向に送信するためにデータを送信し、前記無線周波数装置において、データを受信するための双方向シリアルデータ接続と、外部ソースから前記無線周波数装置においてイネーブリング表示有効データを受信するための同期検波器および送信イネーブリングシリアルデータ接続を含み、前記方法は下記を含む：
ａ）シリアルバスインターフェースを介して前記無線周波数装置にウエークアップ信号を送信する；および
ｂ）ロジックをアイドル状態に設定するために、前記シリアルインターフェースおよび制御回路内の第１のレジスタに書き込む。
【請求項１２】
ステップａ）はモデムから前記ウエークアップ信号を送信することを含む、請求項１１の方法。
【請求項１３】
ｃ）少なくとも１つのパラメータを初期化するために、前記モデムから前記シリアルバスインターフェースを介して第２のレジスタに書くことをさらに含む、請求項１２の方法。
【請求項１４】
ステップｃ）はさらに前記モデムから第２レジスタに書くことをさらに含む、請求項１３の方法。
【請求項１５】
ｄ）受信プロセスを開始するために、前記モデムから前記無線周波数装置に同期検波信号を送信することをさらに含む、請求項１４の方法。
【請求項１６】
ｅ）アイドル状態を再イネーブルするために第２同期信号を送信することをさらに含む、請求項１５の方法。
【請求項１７】
ステップｅ）において、前記第２同期信号は前記モデムから送信される、請求項１６の方法。
【請求項１８】
ステップｅ）において、前記第２同期信号は、前記無線周波数装置に送信される、請求項１７の方法。
【請求項１９】
移動局と、周波数ホッピングされた信号を送信するために備えられた無線周波数装置との間をインターフェースする方法において、前記インターフェースは、前記無線周波数装置に動作可能に接続され、複数の双方向シリアルデータ接続を含むシリアルバスインターフェースと、前記無線周波数装置から第１の方向に送信するためにデータを送信し、前記無線周波数装置において、データを受信するための双方向シリアルデータ接続と、外部ソースから前記無線周波数装置においてイネーブリング表示有効データを受信するための同期検波器および送信イネーブリングシリアルデータ接続を含み、前記方法は下記を含む：
ａ）タイミングを開始するために第１の信号をイネーブルにする；
ｂ）信号を前記無線周波数装置に送り、第１のパラメータをプログラムする；
ｃ）リードまたはライトとして、次に利用可能なタイムスロットを反復的に指定する；
ｄ）所定の受信された信号パラメータを読む；
ｅ）前記所定のパラメータを前記無線周波数装置によって外部送信先に送信する；
ｆ）所定の状態が検出されるまでステップｃ）、ステップｄ）およびステップｅ）を反復する。
【発明の詳細な説明】
【０００１】
【発明の属する技術分野】
本発明は、デジタル無線通信システムに関する。特にこの発明の好適実施の形態は短距離無線周波数トランシーバとそのためのインターフェースに向けられている。
【０００２】
【関連出願の記載】
無線通信の分野において、長い距離間でデータを移動することは、急速に標準となりつつある。しかしながら、ビルの中あるいは部屋の中で短い距離データを移動することは、依然としてはるかに面倒である。無線接続性のためのＢｌｕｅｔｏｏｔｈ標準はこの問題を扱う。Ｂｌｕｅｔｏｏｔｈは、無線ＬＡＮのためのＩＥＥＥ８０２．１１標準に基づく無線周波数（ＲＦ）技術である。２．４５ＧＨｚ周波数バンドで動作すると、この技術は、２Ｍｂｐｓまでの速度で１００フィートまでのレンジ内で装置を接続するであろう。
【０００３】
Ｂｌｕｅｔｏｏｔｈは、設定された時間間隔で１つの周波数から他の周波数に信号を次々と変えるスペクトル拡散技術を利用する。この方法は、電気的に雑音のある環境での動作を可能にし、一方データ暗号化と組み合わされた周波数ホッピングは増大した安全性を提供する。追加の特徴は、自動開始特徴を含む。自動開始特徴は、ユーザの許可または知識なしに装置が送受信を可能とすることにより、ユーザの介入を必要としない。
【０００４】
空気中を介して近距離での装置間の接続性は良く知られている。良く知られている赤外線通信協会標準に基づくタイプのような、赤外線リンクは、すでにユーザが、単に指し示し、光を発することにより、互換装置間で情報を転送することを可能にする。無線ＬＡＮもまた長年にわたって利用されてきた。Ｂｌｕｅｔｏｏｔｈは、ケーブルを買い、運び、接続する必要性なしにユーザを広範囲の計算装置および遠隔通信装置に接続することを可能にするであろう。それは、アクセスポイントとの迅速な通信のための機会、特別な接続のための機会、および将来ケーブル交換およびもしかすると、自動の無意識の装置間の接続のための機会を供給する。Ｂｌｕｅｔｏｏｔｈの出力効率的な無線技術は、電話およびページャ；モデム；ローカルエリアネットワーク（ＬＡＮ）アクセス装置、ヘッドセット；ノートブック、デスクトップおよびハンドヘルドコンピュータとともに使用することができる。
【０００５】
より背景的な情報は、この出願の時点において参照することによりここに組み込まれるｈｔｔｐ：／／ｗｗｗ．ｂｌｕｅｔｏｏｔｈ．ｃｏｍに見つけることのできるＢｌｕｅｔｏｏｔｈスペシャルインタレストグループ（ＳＩＧ）インターネットウエブページに見出すことができる。必要なことは、費用対効果および方法論を用いてＢｌｕｅｔｏｏｔｈ無線周波トランシーバに無線モデムを効率的にインターフェースするための方法および装置である。さらに、必要なことは、無線電話を多種多様の家庭用電化製品および他の周辺装置へのユニバーサルインターフェースとして動作可能にさせるために、Ｂｌｕｅｔｏｏｔｈ無線周波数トランシーバユニットに効率的にインターフェースされた符号分割多重アクセス（ＣＤＭＡ）無線モデムである。
【０００６】
【課題を解決するための手段】
この発明は、ＢｌｕｅｔｏｏｔｈＴＭインターフェースを介して多数の周辺装置にワイヤレス無線電話を接続するための新規で改良された方法および装置である。
【０００７】
この方法と装置は、移動局モデムとＢｌｕｅｔｏｏｔｈ無線周波数装置との間の最適化されたインターフェースを含む。無線電話は、移動局モデム、Ｂｌｕｅｔｏｏｔｈ無線周波数装置、それらの間のインターフェース、および真にユニバーサルな遠隔制御装置を実現するために加入者による利用を可能にする、他の支持するハードウエア／ソフトウエアから構成される。この発明の実施の形態は、周波数ホッピングされた信号を送信および受信するために備えられた無線周波数装置に移動局のモデムを接続するためのインターフェースと、複数の双方向シリアルデータ接続を含む、移動局モデムとＢｌｕｅｔｏｏｔｈ無線周波数装置との間に動作可能に接続されたシリアルバスインターフェースを含む。好適実施の形態は、さらに、移動局モデムとＢｌｕｅｔｏｏｔｈ無線周波数装置との間に接続された送信のためにデータを送信するための双方向シリアルデータ接続、および同期検波器および前記移動局モデムから前記無線周波数装置においてイネーブル表示正当データを送信するための送信イネーブルシリアルデータ接続を含む。
【０００８】
【発明の実施の形態】
図１を参照すると、システム１００はインターフェース１２４を介してＢｌｕｅｔｏｏｔｈＲＦユニット（ＢＴ  ＲＦＵ）２００に接続された移動局モデム（ＭＳＭ）３００を含む。システム１００はまた、タイミング基準をＭＳＭ３００およびＢＴ  ＲＦＵ２００に供給する発振器１１２にも接続される。ＢＴ  ＲＦＵ２００はＢｌｕｅｔｏｏｔｈ互換信号を電力増幅器１１０に供給し、次に、Ｂｌｕｅｔｏｏｔｈ互換信号は、アンテナ１２６への経路１０４上のＲＦフィルタ１０６を通過する前に送受信（Ｔ／Ｒ）スイッチ１０８に供給される。
【０００９】
インターフェース１２４はＭＳＭ３００とＢＴ  ＲＦＵ２００との間に複数の信号経路を含む。双方向Ｒｘ／Ｔｘ信号経路１１８はＭＳＭ３００とＢＴ  ＲＦＵ２００との間でデータを転送する。Ｓｙｎｃ−Ｄｅｔ／Ｔｘ−Ｅｎ（同期検出／送信イネーブル）経路１１６は、Ｓｙｎｃ−Ｄｅｔ／Ｔｘ−Ｅｎ信号をＭＳＭ３００からＢＴ  ＲＦＵ２００に送信するための経路である。データはデータ経路１１８に沿ってＭＳＭ３００からＢＴ  ＲＦＵ  ２００に送信されていることをＢＴ  ＲＦＵ２００に示す。
【００１０】
電圧基準Ｖｒｅｆは、ＶＤＤ−ＭＳＭ１１４に沿ってＶｒｅｆ１０２からＭＳＭ３００とＢＴ  ＲＦＵ  ２００の両方に供給される。クロック基準信号は、経路ＣＬＫ−Ｒｅｆ１２２を介してＢＴ  ＲＦＵ２００からＭＳＭ３００に供給される。
【００１１】
シリアルバスインターフェースは双方向経路ＳＢＩ１２０を介してＢＴ  ＲＦＵ２００およびＭＳＭ３００との間に供給され、ラインＣＬＫ−Ｒｅｆ１２２を介して供給される１２ＭＨｚクロック基準値に非同期である。好適実施の形態において、Ｓｙｎｃ−Ｄｅｔ／Ｔｘ−Ｅｎ１１６とともに３線ＳＢＩ１２０は、ＭＳＭ３００からＢＴ  ＲＦＵ２００を制御およびプログラムするためのメインインターフェースを構成する。
【００１２】
ＳＢＩインターフェース１２０は１００Ｋｈｚと５ＭＨｚとの間のクロックレートで動作する。クロックは、インターフェースがアクティブで使用中のときのみ遷移する。初期化の期間、ＭＳＭ３００はＢＴ  ＲＦＵ２００を設定する。ＢＴ  ＲＦＵはＳＢＩ１２０を介して特定のアドレスにより識別される。ＭＳＭ３００はＴＣＸＯ周波数および他のＲＦＵ特定機能を設定する。
【００１３】
ＳＢＩ制御線およびＳｙｎｃ−Ｄｅｔ／Ｔｘ−Ｅｎ制御線の機能は、ホップ周波数、受信信号強度インジケータ（ＲＳＳＩ）、ＢＴ  ＲＦＵリセット、ＰＬＬロック表示、Ｒｘ−Ｓｅｌ／Ｔｘ−Ｓｅｌ、Ｓｙｎｃ−Ｄｅｔシグナリング、電源のオン／オフ等をプログラムすることを含む。好適実施の形態において、ＳＢＩプロトコルはＱＵＡＬＣＯＭＭにより使用される標準の一般的なＳＢＩインターフェースのサブセットである。
【００１４】
ＢＴ  ＲＦＵを独立にすることにより、直接ＶＣＯ変調制御およびＩ／Ｑ変調の独立制御が可能になる。
【００１５】
ＢＴ  ＲＦＵは、２．４ＧＨｚからのＢＴ  ＲＦＵ信号を、Ｒｘ経路データスライシング（ｄａｔａ ｓｌｉｃｉｎｇ）を含めて、下げるためにＲｘ経路１１８を介して必要なタスクを実行する。ＭＳＭ３００はシンボル回復を実行する。アーキテクチャは、ＭＳＭとＢＴ  ＲＦＵのオーバーヘッドを最小にするために最適化される。
【００１６】
ＭＳＭ３００はＲｘオーバーサンプルされた（ｏｖｅｒｓａｍｐｌｅｄ）データを受信し、ＭＳＭ３００がＢＴ  ＲＦＵ  ２００から独立して実用的にシンボル回復を実行可能にする。同様に、ＢＴ  ＲＦＵ２００はＭＳＭ３００から独立して実用的にデータスライシングを実行する。
【００１７】
最適Ｒｘ経路動作のためのＭＳＭ３００とＢＴ  ＲＦＵ  ２００との間のリアルタイムフィードバックの量は、いつＭＳＭシンボル回復回路がＢＴパケットとの同期を獲得したかをＲＦＵに伝えるＳｙｎｃ−ｄｅｔ／Ｔｘ−イネーブル経路に沿った信号である。
【００１８】
ＢＴ  ＲＦＵ２００は生のベースバンドデータ、プリＢＴ（ｐｒｅ−ＢＴ）ガウス周波数偏移変調を最大でＲＦ周波数（２．４ＧＨｚ）まで変換するために、ＴＸ経路１１８を介して必要なタスクを実行する。好適実施の形態において、Ｔｘ経路データガウスフィルタ、デジタル／アナログ変換器（ＤＡＣ）および他のＧＦＳＫはＢＴ  ＲＦＵ  ２００に配置される。アーキテクチャは、最小のＩＯ、Ｔｘ経路１１８上の１データおよび１制御ピン／データ経路、およびＲＦ位相ロックループ（ＰＬＬ）からの実用的な独立を保証するために最適化される。
【００１９】
図２の例示システムにおいて、ＢＴ  ＲＦＵ２００はブロック図の形態で描写される。インターフェース１２４はＢＴ  ＲＦＵ２００に接続される。ＶＤＤデジタルＩＯ２２５はＶＤＤ−ＭＳＭ１１４からの基準入力を受信する。低雑音増幅器（ＬＮＡ）２０５はアンテナ１２６から入力信号を受信し、そこでミクサー２１０により適当な周波数にダウンコンバートされる。ダウンコンバートされた信号は、Ｓｙｎｃ−Ｄｅｔ入力を有したデータスライサ２３０に送られる前に、ＩＦフィルタ２１５を通って、レベル検出器２２０を通過する。Ｓｙｎｃ−Ｄｅｔ入力を有するデータスライサ２３０は、Ｓｙｎｃ−Ｄｅｔ／Ｔｘ−Ｅｎライン１１６からの信号によりイネーブルなら、Ｔ／Ｒデュプレックスブロック２３５に渡すためにオーバーサンプルされた信号を縮小する。Ｔ／Ｒデュプレックスブロック２３５において、オーバーサンプルされた信号は、Ｒｘ／Ｔｘデータライン１１８に載せられる。ＢＴ  ＲＦＵからの送信がイネーブルなら、Ｒｘ／Ｔｘデータライン１１８からのデータは、ＴＸガウスフィルタ２４０に運ばれ、ＤＡＣ２４５においてアナログ信号に変換される。次にアナログ信号は、駆動増幅器２８０およびアンテナ１２６に渡される前に位相ロックループ（ＰＬＬ）２５５および電圧制御発振器（ＶＣＯ）２５０を用いてアップコンバートするために送信モジュール（Ｔｘ  Ｍｏｄ）２６０に渡される。
【００２０】
図３に関して、ＭＳＭ３００がブロック図で描写される。インターフェース１２４は図２に関して記載したと同様の方法でＭＳＭ３００と接続する。ＶｄｄデジタルＩ／Ｏ３０５はＶＤＤ−ＭＳＭ１１４から基準入力を受信する。ＭＳＭコア３２０は、データをＲｘおよびＴｘデータモジュール３１５に送信する前にＢＴ  ＲＦＵ２００に向けられたデータ情報および制御情報をフォーマット化する。Ｓｙｎｃ  Ｄｅｔｅｃｔ／Ｔｒａｎｓｍｉｔ  Ｅｎａｂｌｅ（Ｓｙｎｃ−Ｄｅｔ／Ｔｘ−Ｅｎ）経路１１６をイネーブルにするために、適当な記号がタイムトラッキングおよび記号獲得モジュールに送信される。Ｓｙｎｃ−Ｄｅｔ／Ｔｘ−Ｅｎ経路１１６はタイムトラッキングおよび記号獲得モジュール３１０に接続され、タイムトラッキングおよび記号獲得モジュール３１０により供給される。Ｔｘデータホワイトニングモジュール３２５もＲｘおよびＴｘデータモジュール３１５に接続され、次に、Ｔ／Ｒデュプレックスブロック３３０へのデータを送信／受信する。送信／制御命令は、シリアルインターフェースおよび制御回路３３５を通って、ＳＢＩ２０上に運ばれる。クロックおよびタイマモジュール３４０はクロック基準信号経路１２２に接続され、種々の部品（図示しない接続）にクロックを供給する。
【００２１】
例による記述
この発明の例示実施の形態において、アドレスブックを同期化するために（図示しない）ＰＣのような外部装置と通信するために、Ｂｌｕｅｔｏｏｔｈ（ＢＴ）ＲＦリンク１０４を使用することができる携帯電話（図示せず）において、ＭＳＭ装置３００と  ＲＦＵ装置２００との間にインターフェースを実現することができる。電話の電源がオンになると、ＭＳＭ３００とＲＦＵ２００はリセットされＢＴインターフェースおよびロジックはスリープ状態に入る。携帯電話のソフトウエアもまた、シリアルバスインターフェース（ＳＢＩ）ライトをＲＦＵ  ＲＥＳＥＴレジスタに発行し、ＭＳＭロジックをリセットすることによりスリープ状態を強制することができる。携帯電話のユーザは、携帯電話上のキーを押下することによりアドレスブックの同期を要求するようにしてもよい。携帯電話のソフトウエアはこのキーの押下を検出し、ＰＣとのＢＴ  ＲＦリンクを確立する。アドレスブックデータはＲＦリンクを介して転送され、次に、リンクの接続が切られる。リンクを確立するための手続きは多くのプロトコルステップを必要とするが、ＢＴインターフェースおよびロジックの場合、パケットを送受信するための同一のシーケンスが何度も何度も繰返される。携帯電話のソフトウエアがパケットを受信するごとに、以下のシーケンスが実行される。
【００２２】
ＭＳＭ３００は、シリアルインターフェースおよび制御回路２７０内のＣＯＮＦＩＧレジスタ２７２へのＳＢＩライトによりＲＦＵ２００をスリープ状態から目を覚まさせる。ＢＴインターフェースおよびロジックは次にアイドル状態になるであろう。
【００２３】
ＭＳＭ３００は受信モードと周波数を設定するためにＲＦＵ  ＨＯＰレジスタ２７４にＳＢＩをライトすることにより受信シーケンスを開始する。これは、ＲＦＵに活動準備を整えさせ、ＢＴインターフェースおよびロジックをレディ状態にする。
【００２４】
ＲＦＵタイミングは、Ｓｙｎｃ＿Ｄｅｔ／Ｔｘ＿Ｅｎ１１６ハードウエア信号を介したＭＳＭからＲＦＵへのストローブにより正確に設定されるであろう。このストローブＢＴインターフェースおよびロジックを開始状態に設定する。開始状態において、ＲＦＵはそのロジックを初期化し、周波数シンセサイザをウオーミングアップし、１８０μｓの後ＭＳＭにシリアルデータストリームの送信を開始する。
【００２５】
ＭＳＭがデータストリーム内のデータパケットのための同期化パターンを検出すると、ＭＳＭはＳｙｎｃ＿Ｄｅｔ／Ｔｘ＿Ｅｎ１１６信号をハイレベルに設定し、ＢＴインターフェースおよびロジックをゴー状態（ｇｏ ｓｔａｔｅ）にする。
【００２６】
受信データパケットの終わりにおいて、Ｓｙｎｃ＿Ｄｅｔ／Ｔｘ＿Ｅｎ１１６はロウレベルとなり、ＢＴインターフェースおよびロジックはアイドル状態に戻る。
【００２７】
送信モードがＨＯＰレジスタに設定される以外は、送信シーケンスは受信シーケンスと同様である。プロトコルメッセージを送信し、リンクを確立するために携帯電話が受信シーケンスおよび送信シーケンスを使用した後で、アドレスブックデータを転送するために同じ受信および送信シーケンスを使用するであろう。データ転送が完了すると、ＢＴリンクが停止し、ＢＴインターフェースおよびロジックがスリープ状態に戻るであろう。
【００２８】
図４は３線シリアルバスインターフェース（ＳＢＩ）１２０のタイミング図である。好適実施の形態に示すように、信号ＳＢＣＫは迅速にクロック信号を発振しており、信号ＳＢＳＴと論理的に結合され、論理ロウレベルに保持されると、データ信号およびラインＳＢＤＴを介してデータ転送が可能となる。
【００２９】
ＢＴ  ＲＦＵ２００がパワーアップリセット条件を検出することにより、またはＳＢＩリセットレジスタへのライトによりＳＢＩライトレジスタが０にリセットされ、双方向ピンが入力状態となる。これらのリセットは、ＳＢＩインターフェースを依然として動作状態のままでＢＴ  ＲＦＵ  ２００を低電力モード状態にする。クロックの状態に関係無く、電力が供給される限り、ＢＴ  ＲＦＵライトレジスタの状態が維持される。
【００３０】
ＢＴ  ＲＦＵ内のＳＢＩライトレジスタは表１および表２のようになっている。
【００３１】
【表１】
2004519879.tif 000003
【表２】
2004519879.tif 000004
ＳＢＩデータ転送フォーマットは図４に図解するようにそして表３に示す通りに２９の固定ビットから構成される。
【００３２】
【表３】
2004519879.tif 000005
ＳＢＤＴに隣接して示される情報の系列はデバイスアドレス、レジスタアドレス、そしてデータであり、各フィールドは、最上位ビットが最初に送信される。制御データは一時に１バイト、ＭＳＭ３００とＢＴ  ＲＦＵ  ２００との間で転送される。制御ビットはビット２８において、ＣＬＫサイクル期間中に有効となる。スレーブデバイス（ＢＴ  ＲＦＵ）からのステータスデータが読まれているとき、データピンは、表３のデータフィールドビット１１の８クロックサイクルの期間のみＢＴ  ＲＦＵにより駆動される。
【００３３】
図５に関して、システム１００の通常の連続した動作は開始５０５で始まり詳細に記載されるであろう。通常の動作期間中に、以下の機能がＳＢＩ１２０を介して実行される。ステップ５１０において、１２ＭＨｚ基準がオンとなり、ＭＳＭ３００コアに送られる。ステップ５２０において、スタートスロット動作タイミングを開始するためにＳｙｎｃ−Ｄｅｔ／Ｔｘ−Ｅｎ経路が利用される。ステップ５３０において、局部発振器（ＰＬＬ）ホップ周波数は、ＢＴ  ＲＦＵ  ２００においてＭＳＭ３００によりプログラムされる。ステップ５４０において、ＰＬＬロック表示リードを実行する任意のステップが実行される。ステップ５５０において、次に利用可能なタイムスロットが、全体として装置から受信（Ｒｘ）または送信（Ｔｘ）のいずれかとして指定される。次に、ＢＴ  ＲＦＵがステップ５６０においてリセットされ、一方、ステップ５７０において、受信信号強度インジケータ（ＲＳＳＩ）が読まれる。最後に、制御が停止５８５を通過する前に、ステップ５８０において、送信（Ｔｘ）電力制御が電力増幅器（ＰＡ）１１０に対して設定される。もちろん制御は開始に戻り、プロセスは、あるアクションまたは条件がプロセスを中断するまで無制限に繰返す。
【００３４】
好適実施の形態の上述の記載は当業者がこの発明を作成または使用可能にするために提供される。これらの実施の形態に対する種々の変形例は当業者には容易に明白であり、ここに定義される包括的な原理は、発明力の使用なしに他の実施の形態に適用できる。従って、この発明は、ここに示した実施の形態に限定されることを意図したものではなく、ここに開示された原理および新規な特徴に一致する最も広い範囲が許容されるべきである。
【図面の簡単な説明】
【図１】
図１は、この発明の好適実施の形態が存在し動作するモデム／ＲＦＵシステムを図解する。
【図２】
図２は、Ｂｌｕｅｔｏｏｔｈ無線周波数装置および移動局モデムへの関連するインターフェースを図解する。
【図３】
図３は、移動局モデムおよびＢｌｕｅｔｏｏｔｈ無線周波数装置への関連したインターフェースを図解する。
【図４】
図４はＢｌｕｅｔｏｏｔｈ無線周波数装置と移動局モデムとの間のシリアルバスインターフェースのタイミング図を図解する。
【図５】
図５はＢｌｕｅｔｏｏｔｈ周波数装置と移動局モデムとの間のインターフェースの動作の方法を、フローチャートフォーマットで図解する。
【図１】
2004519879.tif 000006
【図２】
2004519879.tif 000007
【図３】
2004519879.tif 000008
【図４】
2004519879.tif 000009
【図５】
2004519879.tif 000010
【国際公開パンフレット】
2004519879.tif 000011
2004519879.tif 000012
2004519879.tif 000013
2004519879.tif 000014
2004519879.tif 000015
2004519879.tif 000016
2004519879.tif 000017
2004519879.tif 000018
2004519879.tif 000019
2004519879.tif 000020
2004519879.tif 000021
2004519879.tif 000022
2004519879.tif 000023
2004519879.tif 000024
2004519879.tif 000025
2004519879.tif 000026
2004519879.tif 000027
2004519879.tif 000028
2004519879.tif 000029
【国際公開パンフレット（コレクトバージョン）】
2004519879.tif 000030
【国際調査報告】
2004519879.tif 000031
2004519879.tif 000032
2004519879.tif 000033